(57)【特許請求の範囲】
【請求項１】
スピーカが取り付けられる外囲器と、
この外囲器に一端部が開口し、前記外囲器内に前記開口から伸びる直線を包囲する周壁を有し、内方端部が閉塞されているポートとを、
有し、
前記外囲器は、第１の配置状態と、第１の配置状態から前記直線に平行な軸の回りに約９０度回転した第２の配置状態とのうちいずれかの状態に配置され、
前記ポートは、前記内方端部近傍の周壁部に開口部を有し、かつ第１及び第２の配置状態いずれにおいても、前記直線を通る水平面に対して鉛直で前記直線を通る鉛直面のうち前記水平面よりも下方にある部分から離れた位置に前記開口部が形成されているバスレフ型エンクロージャー。
【請求項２】
請求項１記載のバスレフ型エンクロージャーにおいて、前記開口部は、前記ポートの内方端部の一部も除去して形成されているバスレフ型エンクロージャー。
【請求項３】
請求項２記載のバスレフ型エンクロージャーにおいて、前記ポートが前記外囲器と一体に形成されているバスレフ型エンクロージャー。
【請求項４】
スピーカが取り付けられる外囲器と、
前記外囲器に一端部が開口し、前記開口から伸びる直線を包囲するように前記外囲器からその内部に伸びる周壁を有し、その周壁の先端部に連なる内方端部が閉塞され、前記外囲器と一体に形成されているポートとを、
有し、前記外囲器の所定の配置状態の前記内方端部近傍の前記周壁部において、前記直線を通る水平面とこれに交差する前記直線を通る鉛直面とによって前記ポートの前記水平面より上部を２分割した一方の区画を除去し、この区画に続く前記内方端部の少なくとも縁を除去して開口部が形成されているバスレフ型エンクロージャ。
【発明の詳細な説明】
【０００１】
【発明の属する技術分野】
本発明は、バスレフ型エンクロージャーに関し、特に防水に配慮したものに関する。
【０００２】
【従来の技術】
バスレフ型エンクロージャーは、密閉型の外囲器におけるスピーカー取付面に開口を有するポート（ダクト）を外囲器内に設けることによって、低音域を良好に再生しようとするものである。スピーカ取付面に開口したポートが設けられているので、このポートから外囲器内に雨水等が侵入する可能性がある。そこで、従来、図８に示すようなバスレフ型エンクロージャーが使用されている。即ち、概略直方体状の外囲器２のスピーカー取付面４にスピーカ６が取り付けられている。さらに、スピーカ取付面４にポート８が取り付けられている。外囲器２内に雨水等が侵入することを防止するために、ポート８の内方端部は、上方に湾曲させられている。
【０００３】
【発明が解決しようとする課題】
しかし、このエンクロージャーでは、雨水の浸入を防止するためには、図８に示すような状態にしか、エンクロージャーを配置することができず、例えば外囲器２を横倒しにした状態には配置することができない。即ち、エンクロージャーの配置の自由度が低いという問題点があった。横倒しした状態に配置するエンクロージャーについては、別途横倒しした状態でポートの内方端部が上向きに湾曲したものを製造しなければならない。さらに、ポート８は、スピーカー取付面４と一体成型することが、部品点数の減少、組立工数の削減の点から望ましい。しかし、ポート８は、湾曲部を有するので、スピーカー取付面４と一体成型することができず、部品点数が増加し、かつ組立工数が増加する。
【０００４】
本発明は、配置の自由度が高い防水型のバスレフ型エンクロージャーを提供することを目的とする。また、本発明は、部品点数を減少させ、かつ組立工数を削減できる防水型のバスレフ型エンクロージャーを提供することを目的とする。
【０００５】
【課題を解決するための手段】
本発明の一態様のバスレフ型エンクロージャーは、スピーカが取り付けられる外囲器を備えている。この外囲器は密閉型のものである。この外囲器にポートの一端部が開口し、このポートは、外囲器内に前記開口から伸びる直線を包囲する周壁を有し、内方端部が閉塞されている。外囲器は、第１の配置状態と、第１の配置状態から前記直線に対して平行な軸の回りに約９０度回転した第２の配置状態とのうちいずれかの状態に配置される。前記ポートは、前記内方端部近傍の周壁部に開口部を有し、かつ第１及び第２の配置状態いずれにおいても前記直線を通る水平面に対して鉛直で、かつ前記直線を通る鉛直面のうち前記水平面よりも下方にある部分から離れた位置に前記開口部が形成されている。
【０００６】
このバスレフ型エンクロージャーでは、第１及び第２の配置状態のうちいずれの状態に配置されても、開口部は、前記直線を通る水平面よりも下方にある前記直線を通る鉛直面から離れた位置に位置している。即ち、第１及び第２の配置状態のいずれにおいても、ポートの下部には開口部がない。従って、第１及び第２の配置状態のいずれであっても、この開口部から外囲器内に雨水が浸入することがなく、配置の自由度が高い上に、防水することができる。
【０００７】
前記開口部は、前記ポートの内方端部の一部も除去して形成されているものとできる。このように構成すると、型を利用してポートを成型する場合、型の形状が簡単になり、製造が容易になる。
【０００８】
これに加えて、ポートを外囲器と一体に形成することもできる。この場合、部品点数及び組立工数が削減され、製造が容易になるし、外囲器とポートとを製造するために使用する型も比較的簡単な構成のものを使用でき、製造コストを低下させることができる。
【０００９】
本発明の態様によるバスレフ型エンクロージャは、スピーカが取り付けられる取付面を有する外囲器を備えている。外囲器にポートの一端部が開口し、ポートは、前記開口から伸びる直線を包囲するように前記外囲器からその内部に伸びる周壁を有し、その周壁の先端部に連なる内方端部が閉塞されている。このポートは、前記外囲器と一体に形成されている。前記外囲器の所定の配置状態の前記内方端部近傍の前記周壁部において、前記直線を通る水平面とこれに交差する前記直線を通る鉛直面とによって前記ポートの前記水平面より上部を２分割した一方の区画を除去し、この区画に続く前記内方端部の少なくとも縁を除去して開口部が形成されている。
【００１０】
このバスレフ型エンクロージャーでは、配置状態において、ポートを通る水平面よりも上側の周壁部及び内方端部を除去して、開口部が形成されているので、防水することができる。しかも、ポートは、外囲器と一体に形成され、かつ周壁部だけでなく内方端部の一部も除去されているので、外囲器と一体成型するための型に比較的単純な構造のものを使用することができる。しかも、部品点数及び組立工数を削減することもできる。
【００１１】
【発明の実施の形態】
本発明の一態様によるバスレフ型エンクロージャーは、図１に示すように概略直方体状の外囲器１０を有している。この外囲器１０は、密閉型のものである。この外囲器１０は、図１に示すように、縦長の状態に配置され、それの正面に取付面、例えば概略長方形状のスピーカー取付面１２を有している。このスピーカー取付面１２には、円形の放音孔１４が穿設されている。この放音孔１４から放音するように、外囲器１０の内部にスピーカ、例えばウーハー１６が配置され、スピーカ取付面１２の内面に固定されている。なお、図示していないが、外囲器１０内には、ツィータも設けられている。
【００１２】
ウーハー１６の上方に位置するように、スピーカ取付面１２と一体にポート（ダクト）１８が形成されている。ポート１８は、その一端部がスピーカ取付面１２に開口している。この開口及びスピーカ取付面１２に例えば垂直に伸ばした、図１に一点鎖線で示す直線、例えば中心軸を包囲するように、外囲器１０の内側に伸びた周壁部２０を、ポート１８は有し、その外形は例えば円柱状である。このポート１８の他端部は徐々に中心軸側に向かって直径が縮小されて、最終的には閉塞されている。
【００１３】
このポート１８の他端部側に開口部２２が形成されている。この開口部２２は、図２及び図３に示すように、ポート１８の中心軸を通る水平面と、同じく中心軸を通る鉛直面とによって区画される上下４つの領域のうち、上側に位置する１つの領域の周壁部と内方端部とを除去したものである。この開口部２２は、図３から明らかなように約９０度の角度範囲を持っている。開口部２２は、一点鎖線で示す中心軸を通る水平面に対して鉛直に、かつ中心軸を通る面における前記水平面よりも下方にある部分から離れて位置している。
【００１４】
このように構成したバスレフ型エンクロージャーでは、図４（ａ）に示すように、開口部２２が中心軸を通る水平面以上の位置に位置するような第１の配置状態にあるとき、スピーカ取り付け面１２にある開口から雨水がポート１８内に浸入しても、開口部２２は、ポート１８の中心軸を通る水平面よりも上側にあるので、開口部２２から雨水が外囲器１０内に侵入することはない。
【００１５】
また、図４（ａ）に示す第１の配置状態から約９０度反時計方向に外囲器１０を回転させた第２の配置状態においても、開口部２２は、ポート１８の中心軸を通る水平面以上の位置に位置するので、開口部２２から雨水が外囲器１０内に侵入することはない。
【００１６】
従って、上記のように開口部２２を形成したので、図４（ａ）または（ｂ）いずれの配置状態に外囲器１０を配置しても、雨水が外囲器１０内に侵入することがなく、配置の自由度が高い。
【００１７】
また、開口部２２は、周壁部２０の一部だけでなく内方端部の一部も除去して形成されている。従って、型によってポート１８を形成する場合でも、使用する型として簡単な形状のものを使用できる。また、開口部２２は、周壁部２０の一部だけでなく内方端部の一部も除去して形成されているので、スピーカ取付面１２とポート１８とを一体に成型しても、その製造に使用する型が簡単なものとなる。
【００１８】
なお、スピーカー取付面１２におけるポート１８の開口面積と、開口部２２の開口面積、即ち符号ａ、ｂ及びｃで示した部分の合計面積が等しく設定されている。従って、通常のバスレフ型エンクロージャーと同様に、このバスレフ型エンクロージャーも動作する。
【００１９】
本発明の第２の実施形態によるバスレフ型エンクロージャーに使用するポート１８ａを図５に示す。このポート１８ａの形状が異なる以外、第１の実施の形態と同様に構成されているので、ポート１８ａ以外についての説明は省略する。
【００２０】
ポート１８ａは、四角柱状に形成され、その周壁２０ａのうち内方端部の近傍部分を除去して、開口部２２ａが形成されている。この開口部２２ａも、第１の実施の形態のポート１８の開口２２と同様に、一点鎖線で示す中心軸を通る水平面と中心軸を通る鉛直面とによってポート１８ａの内面を上下４つの領域に区画した上側の１つの領域の周壁２０ａを除去したものである。
【００２１】
このポート１８ａでは、第１の実施の形態のポート１８と同様に、約９０度異なる第１及び第２の配置状態いずれにおいても、外囲器内への雨水等の侵入を防止することができる上に、このポート１８ａを備えたエンクロージャーは通常のバスレフ型エンクロージャーと同様に動作する。しかも、この第２の実施形態のバスレフ型エンクロージャーでは、開口部２２ａを形成する場合に、ポート１８ａの内方端部の除去をポート周壁部の肉厚にとどめている。従って、防水性がより高められる。また、内方端部の除去を上記のように行っているので、ポートを製造する際の型抜きを後方に行うことができ、製造コストを削減できる。もちろん第１の実施形態のような円筒状のポートでも、同様に内方端部の除去をポート周壁部の肉厚にとどめて防水性を更に高めることができる。
【００２２】
本発明の第３の実施形態によるバスレフ型エンクロージャーを図６に示す。このバスレフ型エンクロージャーも、第１の実施の形態と同様に、外囲器１０のスピーカ取り付け面１２にウーハー１６を取り付け、その上方にポート１８ｂを設けてある。ポート１８ｂは、スピーカ取り付け面１２に開口した正方形状の開口を有している。但し、この開口は、正方形を約４５度回転させた状態に配置されている。この開口からポート１８は、第１の実施形態のポート１８と同様に、外囲器１０内にその中心軸に沿って中心軸を包囲するように伸び、図７に示すように内方端部近傍から徐々に開口の一辺の長さにほぼ等しい半径で湾曲し、内方端部が閉塞されている。この内方端部の近傍部分の周壁部に開口部２２ｂが形成されている。開口部２２は、ポート１８ｂの中心軸を通る水平面と、同じく中心軸を通る鉛直面とによって区画される上下４つの領域のうち、上側に位置する１つの領域の周壁部をその肉厚程度に除去したものである。このポート１８ｂの断面積は、スピーカ取り付け面１２における開口から内方端部の開口部２２ｂに至るまで等しく形成されている。
【００２３】
このポート１８ｂは、その形状が単純であるので、、容易に製造することができる。特に、型を用いて製造する場合、後方への型抜きが容易に行え、製造コストを低減させることができる。また、取り付け面１２の開口から内方端部の開口２２ｂまで湾曲部分を含めて、断面積が変化しないので、音響特性が優れている。
【００２４】
上記の３つの実施形態では、開口部２２、２２ａ、２２ｂは、中心軸を通る水平面と鉛直面で区切られる４つの領域のうち上側にある１つであって、第１及び第２の配置状態いずれであっても、上記の水平面以上の位置にあるものに形成した。しかし、これに限ったものではなく、例えば第１及び第２の配置状態いずれにおいても、上記中心軸を通る鉛直面のうち、上記中心軸を通る水平面よりも下方側にある部分に開口部が位置しない位置であれば、種々の位置に開口部を配置することができる。
【００２５】
また、上記の３つの実施形態では、開口部２２、２２ａ、２２ｂは、いずれも中心軸を通る９０度の角度範囲を持つものとしたが、９０度よりも大きい角度範囲あるいは小さく角度範囲を持つものとしてもよい。
【００２６】
また、上記３つの実施形態では、ポート１８、１８ａ、１８ｂは、円柱状のものと角柱状のものを示したが、これに限ったものではなく、例えば楕円柱状のものとすることもできる。上記の実施形態では、ポート１８、１８ａ、１８ｂをスピーカ１６の上方に設けたが、スピーカ１６の下方、側方等様々な位置に設けることができる。さらに、ポート１８、１８ａ、１８ｂをスピーカ取り付け面１２に設けたが、ポート１８、１８ａ、１８ｂは必ずしもスピーカ取り付け面１２に設ける必要がなく、例えば外囲器１０の側面や背面に設けることもできる。
【００２７】
上記３つの実施形態では、スピーカ１６は、外囲器１０の正面に設けたスピーカ取付面１６に設けたが、外囲器１０内において外囲器１０の背面に設けることもできる。
【００２８】
【発明の効果】
以上のように、本発明によれば、、配置の自由度が高く、かつ防水機能を高めたバスレフ型エンクロージャーを得ることができる。また、本発明によれば、部品点数を減少させ、かつ組立工数を削減できる上に、充分な防水機能を持ったバスレフ型エンクロージャーを得ることができる。
【図面の簡単な説明】
【図１】本発明の第１の実施形態のバスレフ型エンクロージャーの縦断側面図である。
【図２】図１のバスレフ型エンクロージャーにおいて使用するポートの部分省略側面図である。
【図３】図２のＡ−Ａ線に沿う断面図である。
【図４】図１のバスレフ型エンクロージャーの異なる使用状態をそれぞれ示す正面図である。
【図５】本発明の第２の実施形態のバスレフ型エンクロージャーにおいて使用するポートの部分省略斜視図である。
【図６】本発明の第３の実施形態のバスレフ型エンクロージャーの縦断側面図である。
【図７】図６のバスレフ型エンクロージャーにおいて使用するポートの部分省略斜視図である。
【図８】従来のバスレフ型エンクロージャーの縦断側面図である。
【符号の説明】
１０  外囲器
１２  スピーカー取付面
１６  スピーカー
１８  １８ａ  ポート
２０  ２０ａ  周壁
２２  ２２ａ  開口部
【図１】
0003890183.tif 000002
【図２】
0003890183.tif 000003
【図３】
0003890183.tif 000004
【図４】
0003890183.tif 000005
【図５】
0003890183.tif 000006
【図６】
0003890183.tif 000007
【図７】
0003890183.tif 000008
【図８】
0003890183.tif 000009